(57)【特許請求の範囲】
【請求項１】
複数の画素と、これらの画素に画像データ信号及び走査信号を供給する複数のデータバスライン及び複数の走査バスラインと、前記複数の走査バスラインのうちの特性の変化したＴＦＴと接続されているバスラインと接続される輝度補償用配線とを有するＴＦＴ方式の液晶パネルと、第１のタイミング信号、第２のタイミング信号及び輝度傾斜タイミング信号を生成するタイミングコントローラと、前記第１のタイミング信号に基づくタイミングで前記データバスラインに前記画像データ信号を供給するデータドライバと、前記輝度補償用配線と接続され、前記輝度傾斜タイミング信号に基づいて輝度傾斜信号を生成し、前記輝度補償用配線からの信号により前記輝度傾斜信号の波形を変更する輝度傾斜変更回路と、前記第２のタイミング信号により前記複数の走査バスラインから１つの走査バスラインを順次選択し、前記第２のタイミング信号及び前記輝度傾斜信号により前記輝度傾斜信号の波形に応じた波形の走査信号を生成して選択した走査バスラインに供給するゲートドライバとを有することを特徴とする液晶表示装置。
【請求項２】
前記ゲートドライバは、前記輝度傾斜信号の波形により，前記走査信号の立ち下がり波形の形状を決めることを特徴とする請求項２に記載の液晶表示装置。
【発明の詳細な説明】
【０００１】
【発明の属する技術分野】
本発明は、静電気等によるＴＦＴ（Thin Film Transistor：薄膜トランジスタ）の特性変化を補償する機能を備えた液晶表示装置に関する。
【０００２】
【従来の技術】
近年、液晶表示装置は、携帯型コンピュータのディスプレイだけでなく、ディスクトップ型コンピュータのディスプレイやテレビ、及び携帯端末のディスプレイなど、種々の電子機器に使用されるようになった。
一般的な液晶パネルでは、２枚の透明基板の間に液晶を封入した構造を有している。それらの透明基板の相互に対向する２つの面のうち、一方の面側には対向電極、カラーフィルタ及び配向膜等が形成され、他方の面側にはＴＦＴ、画素電極及び配向膜等が形成されている。各透明基板の対向面と反対側の面には、それぞれ偏光板が貼り付けられている。これらの２枚の偏光板は、例えば偏光軸が互いに直交するように配置されており、画素電極と対向電極との間に電圧をかけない状態では光が透過して明表示となり、電圧を印加した状態では遮光して暗表示となる。また、２枚の偏光板の偏光軸を互いに平行に配置した場合は、画素電極と対向電極との間に電圧をかけない状態では暗表示となり、電圧を印加した状態では明表示となる。以下、画素電極及びＴＦＴが形成された基板をＴＦＴ基板、対向電極が形成された基板を対向基板という。
【０００３】
図１３は従来の液晶表示装置を示すブロック図である。液晶表示装置は、タイミングコントローラ５１と、データドライバ５２と、ゲートドライバ５３と、液晶パネル５５と、基準電圧発生回路５６とにより構成されている。液晶パネル５５には、マトリクス状に配列された複数の画素と、複数本のデータバスライン及び複数本のゲートバスラインとが形成されている。各画素にはそれぞれ画素電極及びＴＦＴが設けられており、ＴＦＴのゲートに所定の信号（走査信号）が供給されると、ＴＦＴはオンになってデータバスラインに供給された信号（画像データ信号）を画素電極に伝達する。
【０００４】
タイミングコントローラ５１には、パーソナルコンピュータ等の画像生成装置から画像信号ＲＧＢ、水平同期信号Ｈ-sync 及び垂直同期信号Ｖ-sync が供給される。タイミングコントローラ５１は、これらの信号から画像データ信号ＤＲ，ＤＧ，ＤＢを生成するとともに、１水平同期期間の始まりを示すデータスタート信号DSI や、画像データ信号ＤＲ，ＤＧ，ＤＢの同期信号であるデータクロックDCLK、１垂直同期期間の始まりを示すゲートスタート信号GSI 、水平同期信号Ｈ-sync に同期したゲートクロック信号GCLK、及び輝度傾斜信号Ｖgd2 を生成する。データドライバ５２は、画像データ信号ＤＲ，ＤＧ，ＤＢ、データスタート信号DSI 及びデータクロックDCLKを入力し、液晶パネル５５の各データバスラインに所定のタイミングで画像データ信号ＤＲ，ＤＧ，ＤＢを供給する。
【０００５】
ゲートドライバ５３は、タイミングコントローラ５１からゲートスタート信号GSI 、ゲートクロックGCLK及び輝度傾斜信号Ｖgd2 を入力し、これらの信号から走査信号を生成し、液晶パネル５５の各ゲートバスラインに所定のタイミングで順番に走査信号を供給する。
基準電圧発生回路５６は、タイミングコントローラ５１、データドライバ５２、ゲートドライバ５３を駆動するための電圧を供給する。
【０００６】
図１４は、ゲートドライバ５３の動作を示すタイミングチャートである。この図１４に示すように、ゲートバスラインに供給される走査信号（ＴＡＢ出力）は矩形のパルスではなく、一定の電圧を維持した後、電圧が経時的かつ連続的に低下し、その後基準電位まで降下するパルスが用いられる。これは、ゲートバスラインによる信号の遅延に起因する輝度のぱらつきを抑制するためである。以下、走査信号のうち、電圧が経時的かつ連続的に低下する部分を輝度傾斜という。
【０００７】
ゲートドライバ５３には、タイミングコントローラ５１からゲートスタート信号GSI 、ゲートクロックGCLK及び輝度傾斜信号Ｖgd2 が入力され、基準電圧発生回路５６から基準電圧Ｖeeが入力される。この図１４に示すように、輝度傾斜信号Ｖgd2 は走査信号の輝度傾斜を決める信号である。ゲートドライバ５３は、輝度傾斜信号Ｖgd2 と、基準電圧Ｖeeと、ゲートクロックGCLKとにより輝度傾斜を有する走査信号を生成する。また、ゲートドライバ５３は、ゲートスタート信号GSI により１番目のゲートバスラインを選択し、そのゲートバスラインに走査信号を供給する。その後、ゲートドライバ５３はゲートクロックGCLKに同期したタイミングで次のゲートバスラインを選択し、その選択したゲートバスラインに走査信号を供給する。このようにして、ゲートクロックGCLKに同期したタイミングで順番にゲートバスラインの１つが選択され、選択されたゲートバスラインに走査信号が供給される。
【０００８】
一方、液晶パネル５５のデータバスラインには、データドライバ５２から所定のタイミングで画像データ信号が供給される。ゲートバスライン５２を介して走査信号が供給された画素のＴＦＴはオン状態となり、データバスラインに供給された画像データ信号が画素電極に供給される。これにより、画素電極と対向電極との間の液晶分子が電界に沿った方向に配列し、光の透過率が変化する。画素毎に光の透過率を制御することにより、所望の画像が表示される。
【０００９】
【発明が解決しようとする課題】
ところで、液晶パネルの製造工程において発生した静電気がＴＦＴに印加されて、ＴＦＴの特性が変化することがある。図１５は横軸にゲート−ソース間電圧（Ｖgs）をとり、縦軸にドレイン電流（Ｉd ）をとって、ＴＦＴの電流−電圧特性（Ｉ−Ｖ特性）を示す図である。正常なＴＦＴの特性が図１５中に実線で示すものであるとすると、静電気により、ドレイン電流が増える方向（図中Ａで示す方向）又はドレイン電流が減る方向（図中Ｂで示す方向）に変化する。このため、ＴＦＴの特性が変化した画素では、同じ電圧の画像データ信号を供給しても、他の画素と輝度が異なってしまう。静電気はバスラインを伝わっていくため、バスラインに沿った数〜数百の画素のＴＦＴの特性が同時に変化する。
【００１０】
一般的に、ゲートバスラインに静電気が印加された場合にＴＦＴの特性が変化することが多く、横方向にはしる線状の表示欠陥となる。
以上から本発明の目的は、静電気等によるＴＦＴの特性変化を補償し、表示品質の低下を回避できる液晶表示装置を提供することである。
【００１１】
【課題を解決するための手段】
上記した課題は、上記した課題は、図２、図４、図６、図８に例示するように、複数の画素と、これらの画素に画像データ信号及び走査信号を供給する複数のデータバスライン１３及び複数の走査バスライン（ゲートバスライン１２）とを有するＴＦＴ方式の液晶表示装置において、特性の変化したＴＦＴと接続されている走査バスライン１２に供給する走査信号の波形を他の走査バスライン１２に供給する走査信号の波形と異なるものとする波形調整手段（輝度傾斜変更回路３４及びゲートドライバ３３）を有することを特徴とする液晶表示装置により解決する。
【００１２】
静電気によるＴＦＴの特性変化は、同一の走査バスラインに接続されている複数のＴＦＴで同時に発生する。また、ＴＦＴの特性が変化しても、データ電圧を調整することにより、画素電圧を正常な値とすることができる。そこで、本発明においては、静電気等により特性が変化したＴＦＴと接続されている走査バスライン（特定の走査バスライン）に、他の走査バスラインに供給する走査信号と異なる波形の走査信号を供給する。これにより、画素電圧を正常な値とすることができて、表示欠陥を修正することができる。
【００１３】
一般的に、走査信号には、輝度傾斜をもつパルスが用いられる。例えば、走査信号の輝度傾斜の部分の波形を変えることにより、ＴＦＴの特性変化を補償し、表示品質の低下を回避することができる。また、上記した課題は、図２、図４、図６に例示するように、複数の画素と、これらの画素に画像データ信号及び走査信号を供給する複数のデータバスライン１３及び複数の走査バスライン（ゲートバスライン１２）と、前記複数の走査バスライン１２のうちの特性の変化したＴＦＴと接続されているバスラインと接続される輝度補償用配線１９とを有するＴＦＴ方式の液晶パネル３５と、第１のタイミング信号（DSI ，DCLK）、第２のタイミング信号(GSI，GCLK）及び輝度傾斜タイミング信号GVを生成するタイミングコントローラ３１と、前記第１のタイミング信号に基づくタイミングで前記データバスライン１３に前記画像データ信号を供給するデータドライバ３２と、前記輝度補償用配線１９と接続され、前記輝度傾斜タイミング信号GVに基づいて輝度傾斜信号Ｖgd1 を生成し、前記輝度補償用配線１９からの信号により前記輝度傾斜信号Ｖgd1 の波形を変更する輝度傾斜変更回路３４と、前記第２のタイミング信号(GSI，GCLK）により前記複数の走査バスライン１２から１つの走査バスラインを順次選択し、前記第２のタイミング信号(GSI，GCLK）及び前記輝度傾斜信号Ｖgd1 により前記輝度傾斜信号Ｖgd1 の波形に応じた波形の走査信号を生成して選択した走査バスライン１２に供給するゲートドライバ３３とを有することを特徴とする液晶表示装置により解決する。
【００１４】
本発明においては、液晶パネルの複数の走査バスラインのうちの特定の走査バスラインに接続される輝度補償用配線を有している。そして、例えば複数の走査バスラインに交差するように輝度補償用配線を形成しておき、レーザ光を照射して、輝度補償用配線と、特性変化したＴＦＴが接続されている特定の走査バスラインとを電気的に接続する。これにより、特定の走査バスラインに走査信号の供給が開始されると、輝度傾斜変更回路に信号が入力され、輝度傾斜信号の波形を変更する。ゲートドライバでは、輝度傾斜信号の波形の基づいて、走査信号の立ち下がり部の波形を変更する。これにより、特定の走査バスラインに接続されたＴＦＴの特性変化を補償することができて、表示品質が良好な画像を表示することができる。
【００１５】
【発明の実施の形態】
以下、本発明の実施の形態について、添付の図面を参照して説明する。
（１）液晶パネルの構造
図１は本発明の実施の形態の液晶表示装置の液晶パネルの構造を示す断面図、図２は同じくその液晶パネルのＴＦＴ基板を示す平面図である。
【００１６】
液晶パネルは、対向して配置されたＴＦＴ基板１０及び対向基板２０と、これらのＴＦＴ基板１０と対向基板２０との間に封入された液晶２９とにより構成されている。
ＴＦＴ基板１０は、ガラス基板１１と、ガラス基板１１上に形成されたゲートバスライン１２、データバスライン１３、画素電極１４及びＴＦＴ１５等により構成される。各ゲートバスライン１２はガラス基板１１上に相互に平行に形成されている。また、ガラス基板１１上には、蓄積容量を構成するバスラインＣs が形成されている。これらのゲートバスライン１２及びバスラインＣs の上には絶縁膜１６（図２参照）が形成されており、絶縁膜１６上には、データバスライン１３がゲートバスライン１２に対し直角に交差するように形成されている。また、ゲートバスライン１２上には絶縁膜１６を介してシリコン膜（図示せず）が形成されており、このシリコン膜と、ソース電極１５ａ及びドレイン電極１５ｂとによりＴＦＴ１５が構成されている。ドレイン電極１５ｂは、ドレインバスライン１３に接続されている。
【００１７】
これらのドレインバスライン１３、ソース電極１５ａ及びドレイン電極１５ｂの上には絶縁膜１７が形成されており、絶縁膜１７上にはインジウム酸化スズ（indium-tin oxide：以下、ＩＴＯという）からなる透明の画素電極１４が形成されている。この画素電極１４は、絶縁膜１７に設けられたコンタクトホールを介してソース電極１５ａに電気的に接続されている。また、画素電極１４の上には、ポリイミド等からなる配向膜１８が形成されている。この配向膜１８の表面には、電圧を印加していないときの液晶分子の配向方向を決定するために、配向処理が施されている。配向処理の代表的な方法としては、布製のローラーにより配向膜の表面を一方向に擦るラビング法が知られている。
【００１８】
一方、対向基板２０は、ガラス基板２１と、ガラス基板２１の下面側に形成されたブラックマトリクス２２、カラーフィルタ２３、対向電極２４及び配向膜２５等により構成されている。カラーフィルタ２３には、赤色（Ｒ）、緑色（Ｇ）及び青色（Ｂ）の３種類あり、１つの画素電極１４に１つのカラーフィルタ２３が対向している。これらのカラーフィルタ２３の間にはブラックマトリクス２２が形成されている。このブラックマトリクス２２は、例えばクロム（Ｃｒ）のように光が透過しない金属薄膜からなる。
【００１９】
カラーフィルタ２３の下には、ＩＴＯからなる透明の対向電極２４が形成されている。この対向電極２４の下には配向膜２５が形成されている。この配向膜２５の表面にも配向処理が施されている。
ＴＦＴ基板１０と対向基板２０との間には、球形のスペーサ（図示せず）が配置され、これによりＴＦＴ基板１０と対向基板２０との間隔が一定に維持される。また、ＴＦＴ基板１０の下及び対向基板２０の上にはそれぞれ偏光板（図示せず）が配置される。これらの偏光板は、例えば偏光軸が相互に直交するように配置される。
【００２０】
このように構成された液晶パネルにおいて、データバスライン１３にデータ信号を供給し、ゲートバスライン１２に走査信号を供給すると、ＴＦＴ１５がオンになって画素電極１４にデータ信号が供給される。これにより、画素電極１４と対向電極２４との間に電界が発生する。この電界によって液晶２９中の液晶分子の向きが変化し、画素の光透過率が変化する。各画素毎に画素電極１４に印加する電圧を制御することにより、液晶パネル４０に所望の画像を表示することができる。
【００２１】
本実施の形態においては、上述したように、液晶パネルの表示領域内の構成は基本的に従来と同様である。但し、本実施の形態の液晶パネルでは、図３に示すように、表示領域の外側に輝度補償用配線１９が形成されている。この輝度補償用配線１９はゲートバスライン１２の下方又は上方（図では上方）に、ゲートバスライン１２と交差するように形成されている。通常、ゲートバスライン１２と輝度補償用配線１９とは、両者の間に形成された絶縁膜により電気的に絶縁されている。しかし、ゲートバスライン１２と輝度補償用配線１９とが交差する部分にレーザ光を照射することにより、ゲートバスライン１２と輝度補償用配線１９とを電気的に接続することができる。
【００２２】
（２）液晶表示装置の回路構成
図４は本実施の形態の液晶表示装置の回路構成を示すブロック図である。
本実施の形態の液晶表示装置は、タイミングコントローラ３１と、データドライバ３２と、ゲートドライバ３３と、輝度傾斜変更回路３４と、液晶パネル３５と、基準電圧発生回路３６とにより構成されている。タイミングコントローラ３１には、パーソナルコンピュータ等の画像生成装置から画像信号ＲＧＢと、水平同期信号Ｈ-sync 及び垂直同期信号Ｖ-sync が供給される。タイミングコントローラ３１は、これらの信号から所定の信号を生成し、データドライバ３２、データドライバ３３及び輝度傾斜変更回路３４に出力する。タイミングコントローラ３１からデータドライバ３２に供給される信号としては、例えば、画像データ信号ＤＲ，ＤＧ，ＤＢ、１水平同期期間の始まりを示すデータスタート信号DSI 及び画像データ信号ＤＲ，ＤＧ，ＤＢの転送タイミングを示すデータクロックDCLKなどがある。データドライバ３２は、これらの信号を入力し、所定のタイミングでデータバスライン１３に画像データ信号ＤＲ，ＤＧ，ＤＢを出力する。
【００２３】
また、タイミングコントローラ３１からゲートドライバ３３に出力される信号としては、例えば１垂直同期期間の始まりを示すゲートスタート信号GSI 、水平同期信号に同期したゲートクロックGCLKなどがある。更に、タイミングコントローラ３１から輝度傾斜変更回路３４に出力される信号としては、輝度傾斜タイミング信号GVがある。なお、本実施の形態においては、輝度傾斜変更回路３４を独立した回路としたが、タイミングコントローラ３１又はゲートドライバ３３に内蔵されていてもよい。
【００２４】
基準電圧発生回路３６は、発生タイミングコントローラ３１、データドライバ３２、ゲートドライバ３３、輝度傾斜変更回路３４及び液晶パネル３５に、駆動電圧を供給するとともに、所定の基準電圧を発生する。輝度傾斜変更回路３４には、基準電圧Ｖgdが供給され、ゲートドライバ３３には基準電圧Ｖeeが供給される。
【００２５】
データドライバ３２及びゲートバスドライバ３３の基本的な構成は従来と同様である。また、データドライバ３２及びゲートドライバ３３は液晶パネル３５と一体的に形成されていてもよい。
（３）輝度傾斜変更回路３４の構成
図５は輝度傾斜変更回路３４の構成を示す回路図である。この輝度傾斜変更回路３４は、入力端子４１と、出力端子４２と、レベルシフト回路４３と、インバータ４４と、ＡＮＤゲート４５，４６と、スイッチＳＷ1 〜ＳＷ3 と、抵抗Ｒa ，Ｒb とにより構成されている。
【００２６】
スイッチＳＷ1 の一端側は入力端子４１に接続されており、他端側は出力端子４２に接続されている。入力端子４１には、基準電圧発生回路３６から基準電圧Ｖgdが供給される。また、出力端子４２から出力される輝度傾斜信号Ｖgd1 は、ゲートドライバ３３に供給される。
抵抗Ｒa の一端側は出力端子４２に接続されており、抵抗Ｒa の他端側と接地（０Ｖ）との間にはスイッチＳＷ2 が接続されている。また、抵抗Ｒb の一端側も出力端子４２に接続されており、抵抗Ｒb の他端側と接地との間にはスイッチＳＷ3 が接続されている。抵抗Ｒa は通常時にゲートバスラインに供給する走査信号の輝度傾斜を決める抵抗であり、抵抗Ｒb は静電気等によりＴＦＴの特性が変化したときにゲートバスラインに供給する走査信号の輝度傾斜を決める抵抗である。この例では、抵抗Ｒb の抵抗値は抵抗Ｒa の抵抗値よりも大きく設定されているものとする。
【００２７】
タイミングコントローラ３１から出力される輝度傾斜タイミング信号GVは、ＡＮＤ回路４５，４６のそれぞれ一方の入力端に入力される。また、レベルシフト回路４３の入力端は輝度補償用配線１９に接続され、レベルシフト回路４３の出力端はＡＮＤ回路４６の他方の入力端に接続されとともに、インバータ４４の入力端に接続されている。このインバータ４４の出力端はＡＮＤ回路４５の他方の入力端に接続されている。スイッチＳＷ2 はＡＮＤ回路４５の出力信号GV1 によりオン−オフし、スイッチＳＷ3 はＡＮＤ回路４６の出力信号GV2 によりオン−オフする。スイッチＳＷ1は、スイッチＳＷ2又はスイッチＳＷ3のいずれか一方がオンのときにオフとなる。つまり、スイッチＳＷ1は、信号GV が“Ｈ”のときにオフ、信号GV が“Ｌ”のときにオンとなる。
【００２８】
輝度傾斜変更回路３４は、図６に示すように、輝度補償用配線１９に接続される。この例では、輝度補償用配線１９がＮ番目のゲートバスライン１２と接続されているものとする。なお、輝度補償用配線１９とゲートバスライン１２との接続に使用するレーザ光の大きさは、例えば２０×２０μｍ〜２００×２００μｍである。
【００２９】
以下、輝度傾斜変更回路３４の動作について、図７のタイミングチャートを参照して説明する。但し、この例では、時刻ｔ1 において、ゲートドライバ３３ではＮ−１番目のゲートバスラインが選択されているものとする。
輝度傾斜変更回路３４には、基準電圧発生回路３６から基準電圧Ｖgdが与えられる。時刻ｔ1 で、タイミングコントローラ３１から出力される輝度傾斜タイミング信号GVが“Ｈ”になると、レベルシフト回路４３の出力が“Ｌ”であるので，ＡＮＤ回路４５の出力GV1 が“Ｈ”、ＡＮＤ回路４６の出力GV2 が“Ｌ”になる。従って、スイッチＳＷ2 がオン、スイッチＳＷ3 がオフとなる。これにより、出力信号Ｖgd1 の電位は、抵抗Ｒa と配線等の容量成分とにより決まる時定数で減少する。時刻ｔ2 になると、輝度傾斜タイミング信号GVが“Ｌ”になり、輝度傾斜信号Ｖgd1 の電位は基準電圧Ｖgdの電位と同じになる。
【００３０】
時刻ｔ3 で輝度傾斜タイミング信号GVが“Ｈ”になると、レベルシフト回路４３の出力が“Ｈ”になるので、ＡＮＤ回路４５の出力ＧV1が“Ｌ”、ＡＮＤ回路４６の出力ＧV2が“Ｈ”となる。従って、スイッチＳＷ2 がオフ、スイッチＳＷ3 がオンとなる。これにより、輝度傾斜信号Ｖgs1 の電位は、抵抗Ｒb と配線等の容量成分とにより決まる時定数で減少する。但し、本実施の形態では、抵抗Ｒb の抵抗値が抵抗Ｒa の抵抗値よりも大きいので、スイッチＳＷ3 がオンのときの電位の低下速度は、スイッチＳＷ2 がオンのときよりも遅くなる。
【００３１】
時刻ｔ4 で輝度傾斜タイミング信号GVが“Ｌ”になると、スイッチＳＷ3 がオフになり、輝度傾斜Ｖgd1 の電位は基準電圧Ｖgdと同じになる。
時刻ｔ5 で輝度傾斜タイミング信号GVが“Ｈ”になると、レベルシフト回路４３の出力が“Ｌ”であるので、ＡＮＤゲート４５の出力ＧV1が“Ｈ”、ＡＮＤゲート４６の出力ＧV2が“Ｌ”になる。これにより、スイッチＳＷ2 がオン、スイッチＳＷ3 がオフになって、出力信号Ｖgd1 の電位が抵抗Ｒa と配線等の容量成分とにより決まる時定数で減少する。
【００３２】
時刻ｔ6 が輝度傾斜タイミング信号GVが“Ｌ”になると、輝度傾斜信号Ｖgd1 の電位は基準電圧Ｖgdと同じになる。
図８はゲートドライバの動作を示すタイミングチャートである。ゲートドライバ３３は、輝度傾斜変更回路３４の出力信号Ｖgd1 と、基準電圧発生回路３６から与えられる基準電圧Ｖeeと、タイミングコントローラ３１から出力されたゲートスタート信号GSI 及びゲートクロックGCLKとにより走査信号を生成し、ゲートクロックGCLKに同期したタイミングで順番に各ゲートバスラインに走査信号を供給する。走査信号は，輝度傾斜変更回路３４の出力Ｖgd1 の波形に応じた輝度傾斜を有している。本実施の形態では、図８に示すように、輝度傾斜変更回路３４の出力Ｖgd1 の時刻ｔ3 〜ｔ4 における電圧降下が時刻ｔ1 〜ｔ2 及び時刻ｔ5 〜ｔ6 における電圧降下よりも小さいので、時刻ｔ2 〜ｔ4 のタイミングでＮ番目のゲートバスラインに供給される走査信号は、他のゲートバスラインに供給される走査信号の輝度傾斜よりも小さいものとなっている。
【００３３】
図９は液晶表示装置の画素の等価回路図である。この図９において、Ｃ1cは画素電極の容量、Ｃs は蓄積容量、ＣgsはＴＦＴのゲート−ソース間容量である。図１０はＴＦＴ１５のゲート電位、ドレイン電位及びソース電位の変化を示す図である。これらの図９，図１０を参照して、走査信号の輝度傾斜と輝度補償との関係について説明する。
【００３４】
図１０のようにゲートバスライン１２に走査信号として矩形波を供給し、その後、ドレインバスライン１３に所定の電圧を供給したとする。そうすると、図中破線で示すように、ソース電位（画素電位）は、容量Ｃs ，Ｃ1cに電荷が蓄積されるのに伴ってドレイン電位に近づき、一定の電位となる。その後、ゲート電位の立ち下りによりソース電位は若干（ΔＶs ）低下し、容量Ｃs ，Ｃ1cに蓄積されている電荷に応じた一定の電位となる。この場合の電圧降下量ΔＶs は、下記（１）式により求めることができる。
【００３５】
【数１】
0004480821.tif 000002
【００３６】
図１１に示すように、ゲートバスラインに輝度傾斜をもつ走査信号を供給した場合、ＴＦＴ１５のソース電位はΔＶs だけ下降した後、ΔＶSRだけ上昇する。この輝度傾斜による電位の上昇（ΔＶSR）を再書き込みという。ソース電位のピーク値に対する電圧降下量ΔＶs'は、下記（２）式に示すようになる。
【００３７】
【数２】
0004480821.tif 000003
【００３８】
輝度傾斜の時間ｔ0 が一定であるとすると、輝度傾斜の大きさＶにより、ΔＶs ，ΔＶSR，ΔＶs'は下記表１のように変化する。但し、表１中のαは一定の値である。
【００３９】
【表１】
0004480821.tif 000004
【００４０】
即ち、ΔＶs は電圧Ｖに関係せず一定であり、ΔＶs'はＶに対して単調に増加又は減少するわけではない。また、輝度傾斜の角度が適度であると、ＴＦＴのオン時間が長くなるため、ΔＶSRが大きくなる。
本実施の形態においては、輝度傾斜、すなわち電圧降下量Ｖを変化させることにより、ΔＶSRの値を変化させる。これにより、再書き込み量を調整することが可能であり、特性変化したＴＦＴの輝度を補償できる。従って、液晶表示装置の品質の低下が回避され、製造歩留まりが向上する。
【００４１】
なお、上記の例では１本の輝度補償用配線１９が形成されており、この１本の輝度補償用配線１９が全てのゲートバスライン１２に交差している場合について説明したが、変形例として図１２に模式的に示すように、所定数のゲートバスライン１２を１組とし、各組毎にそれぞれ輝度補償用配線１９を形成してもよい。また、上記の実施の形態では輝度傾斜変更回路３４を独立した回路としたが、タイミングコントローラ３１又はゲートドライバ３３内に組み込んでもよい。更に、輝度傾斜変更回路３４内の抵抗Ｒb の抵抗値を変化させることができるようにしてもよい。例えば、抵抗Ｒb として可変抵抗器を使用してもよく、また複数の固定抵抗を用意しておき、ＴＦＴの特性の変化に応じてこれらの固定抵抗を直列又は並列に接続して抵抗値を調整できるようにしてもよい。
【００４２】
【発明の効果】
以上説明したように、本発明によれば、波形調整手段により、特定の走査バスラインに供給される走査信号の波形を他の走査信号の波形と異なるものとする。静電気等により特性が変化したＴＦＴが接続されている走査バスラインに、他の走査バスラインに供給する走査信号と異なる波形の走査信号を供給することにより、ＴＦＴの特性変化を補償し、良好な表示品質で画像を表示することができる。
【図面の簡単な説明】
【図１】図１は本発明の実施の形態の液晶表示装置の液晶パネルの構造を示す断面図である。
【図２】図２は同じくその液晶パネルのＴＦＴ基板を示す平面図である
【図３】図３は輝度補償用配線を示す平面図である。
【図４】図４は実施の形態の液晶表示装置の回路構成を示すブロック図である。
【図５】図５は輝度傾斜変更回路の構成を示す回路図である。
【図６】図６は輝度傾斜変更回路と輝度補償用配線との接続を示すブロック図である。
【図７】図７は輝度傾斜変更回路の動作を示すタイミングチャートである。
【図８】図８はデータドライバの動作を示すタイミングチャートである。
【図９】図９は画素の等価回路を示す図である。
【図１０】図１０はＴＦＴ各部の電位を示す波形図である。
【図１１】図１１は輝度傾斜をもつ走査信号を供給したときのソース電位の変化を示す波形図である。
【図１２】図１２は実施の形態の変形例を示す模式図である。
【図１３】図１３は従来の液晶表示装置を示すブロック図である。
【図１４】図１４は従来の液晶表示装置のゲートドライバの動作を示すタイミングチャートである。
【図１５】図１５は静電気等によるＴＦＴの特性の変化を示す図である。
【符号の説明】
１０  ＴＦＴ基板、
１１，２１  ガラス基板、
１２  ゲートバスライン、
１３  データバスライン、
１４  画素電極、
１５  ＴＦＴ、
１９  輝度補償用配線、
２０  対向基板、
２３  カラーフィルタ、
２４  対向電極、
２９  液晶、
３１，５１  タイミングコントローラ、
３２，５２  データドライバ、
３３．５３  ゲートドライバ、
３４  輝度傾斜変更回路、
３５，５５  液晶パネル、
３６，５６  基準電圧発生回路。
【図１】
0004480821.tif 000005
【図２】
0004480821.tif 000006
【図３】
0004480821.tif 000007
【図４】
0004480821.tif 000008
【図５】
0004480821.tif 000009
【図６】
0004480821.tif 000010
【図７】
0004480821.tif 000011
【図８】
0004480821.tif 000012
【図９】
0004480821.tif 000013
【図１０】
0004480821.tif 000014
【図１１】
0004480821.tif 000015
【図１２】
0004480821.tif 000016
【図１３】
0004480821.tif 000017
【図１４】
0004480821.tif 000018
【図１５】
0004480821.tif 000019